(57)【特許請求の範囲】
【請求項１】
対象グループでの情報交換サービスを提供するＳＮＳサーバと第１および第２の端末とに接続され、健康管理サービスに加入する対象ユーザへ通知情報を提供する健康管理装置であって、
前記対象ユーザが利用する前記第１の端末から所定のバイタルデータを受信するバイタルデータ受信部と、
前記バイタルデータを含むバイタル投稿データを生成し前記ＳＮＳサーバに送信するバイタル投稿データ送信部と、
前記バイタルデータを含むバイタル投稿データと、前記ＳＮＳサーバにおいて前記対象ユーザと紐づけられている対象グループに属する前記第２の端末を利用する前記対象グループのユーザからの投稿データと、を含むグループ投稿データを前記ＳＮＳサーバから受信するグループ投稿データ受信部と、
前記バイタルデータを含むバイタル投稿データと、前記第２の端末を利用する前記対象グループのユーザからの投稿データと、の少なくとも一方を前記グループ投稿データから抽出する投稿データ抽出部と、
前記投稿データ抽出部で抽出した投稿データを基に通知情報を生成する通知情報生成部と、
前記通知情報を前記第１の端末に送信する通知情報送信部と、
を備えた健康管理装置。
【請求項２】
前記ＳＮＳサーバに前記通知情報を含む投稿データを生成し送信する通知投稿データ送信部をさらに備えた請求項１に記載の健康管理装置。
【請求項３】
前記バイタルデータ受信部で受信したバイタルデータを基に前記対象ユーザの健康状態を判定する判定部を備え、前記通知情報生成部は、前記判定部の判定結果と前記投稿データ抽出部で抽出した投稿データを基に前記通知情報を生成する請求項１に記載の健康管理装置。
【請求項４】
前記通知情報は、前記投稿データ抽出部で抽出したバイタル投稿データに含まれるバイタルデータの平均値、最大値、または、最小値である請求項１に記載の健康管理装置。
【請求項５】
前記通知情報は、前記投稿データ抽出部で抽出したバイタル投稿データに含まれるバイタルデータ中の前記第１の端末を利用する前記対象ユーザの前記対象グループ内の順位である請求項１に記載の健康管理装置。
【請求項６】
前記グループ投稿データは、前記ＳＮＳサーバにおいて前記対象グループ内における投稿データ、または、前記ＳＮＳサーバにおいて前記対象ユーザに対する投稿データである請求項１に記載の健康管理装置。
【請求項７】
前記投稿データ抽出部から受信した前記バイタルデータを含むバイタル投稿データを基に、前記ＳＮＳサーバにおいて前記対象ユーザに対する応援投稿データを抽出する応援投稿データ抽出部をさらに備えた請求項１に記載の健康管理装置。
【請求項８】
対象グループでの情報交換サービスを提供するＳＮＳサーバと、第１および第２の端末と、健康管理サービスに加入する対象ユーザへ通知情報を提供する健康管理装置とを備えた健康管理システムであって、
前記ＳＮＳサーバは、
前記第１の端末を利用する前記対象ユーザ毎に設定されたグループ情報を記憶するグループ情報記憶部と、
前記対象ユーザからの投稿データを受信する投稿データ受信部と、
前記投稿データを記憶する投稿データ記憶部と、
を備え、
前記第１の端末は、
前記対象ユーザのバイタルデータを送信するバイタルデータ送信部を備え、
前記健康管理装置は、
前記対象ユーザが利用する前記第１の端末から前記バイタルデータを受信するバイタルデータ受信部と、
前記バイタルデータを含むバイタル投稿データを生成し前記ＳＮＳサーバに送信するバイタル投稿データ送信部と、
前記バイタルデータを含むバイタル投稿データと、前記ＳＮＳサーバにおいて前記対象ユーザと紐づけられている対象グループに属する前記第２の端末を利用する前記対象グループのユーザからの投稿データと、を含むグループ投稿データを前記ＳＮＳサーバから受信するグループ投稿データ受信部と、
前記バイタルデータを含むバイタル投稿データと、第２の端末を利用する前記対象グループのユーザからの投稿データと、の少なくとも一方を前記グループ投稿データから抽出する投稿データ抽出部と、
前記投稿データ抽出部で抽出した投稿データを基に通知情報を生成する通知情報生成部と、
前記通知情報を前記第１の端末に送信する通知情報送信部と、
を備えた健康管理システム。
【請求項９】
対象グループでの情報交換サービスを提供するＳＮＳサーバと第１および第２の端末とにされ、健康管理サービスに加入する対象ユーザへ通知情報を提供する健康管理装置における通知方法であって、
前記対象ユーザが利用する前記第１の端末から所定のバイタルデータを受信するステップと、
前記バイタルデータを含むバイタル投稿データを生成し前記ＳＮＳサーバに送信するステップと、
前記バイタルデータを含むバイタル投稿データと、前記ＳＮＳサーバにおいて前記対象ユーザと紐づけられている対象グループに属する前記第２の端末を利用する前記対象グループのユーザからの投稿データと、を含むグループ投稿データを前記ＳＮＳサーバから受信するステップと、
前記バイタルデータを含むバイタル投稿データと、前記第２の端末を利用する前記対象グループのユーザからの投稿データと、の少なくとも一方を前記グループ投稿データから抽出するステップと、
投稿データ抽出部で抽出した投稿データを基に通知情報を生成するステップと、
前記通知情報を前記第１の端末に送信するステップと、
を備えた通知方法。
【発明の詳細な説明】
【技術分野】
【０００１】
本開示は、バイタルデータを用いた健康管理装置、健康管理システム、および通知方法に関する。
【背景技術】
【０００２】
従来から、対象ユーザが測定した血圧などのバイタルデータを記憶する健康管理システムが提案されている。従来の健康管理システムの中には、対象ユーザに関連する健康に関する情報を対象ユーザに対して提示し、対象ユーザの健康管理意欲を向上させるシステムがある。
【０００３】
特開２００２−２４５１７８号公報には、対象ユーザと、対象ユーザが加入する健康管理サービスと同じサービスに加入する他のユーザとを比較した順位データを対象ユーザに対して提示する技術が開示されている。これにより、対象ユーザは他のユーザと比較することができる。
【先行技術文献】
【特許文献】
【０００４】
【特許文献１】特開２００２−２４５１７８号公報
【発明の概要】
【発明が解決しようとする課題】
【０００５】
しかしながら、上述のシステムでは、対象ユーザの健康管理の比較対象である他のユーザに、対象ユーザにとって身近ではないユーザも含まれるので、対象ユーザは健康管理意欲を向上させにくいという問題があった。また、比較対象として対象ユーザにとって身近なユーザを上述のシステム上で設定しようとしても手間がかかるという問題があった。
【０００６】
本開示は、対象ユーザの比較対象として対象ユーザにとって身近なユーザを簡単に設定し、対象ユーザの健康管理意欲を向上させることができる健康管理装置、健康管理システム、および通知方法を提供する。
【課題を解決するための手段】
【０００７】
本開示における健康管理装置は、対象グループでの情報交換サービスを提供するＳＮＳサーバと第１および第２の端末とに接続され、健康管理サービスに加入する対象ユーザへ通知情報を提供する健康管理装置であって、前記対象ユーザが利用する前記第１の端末から所定のバイタルデータを受信するバイタルデータ受信部と、前記バイタルデータを含むバイタル投稿データを生成し前記ＳＮＳサーバに送信するバイタル投稿データ送信部と、前記バイタルデータを含むバイタル投稿データと、前記ＳＮＳサーバにおいて前記対象ユーザと紐づけられている対象グループに属する前記第２の端末を利用する前記対象グループのユーザからの投稿データと、を含むグループ投稿データを前記ＳＮＳサーバから受信するグループ投稿データ受信部と、前記バイタルデータを含むバイタル投稿データと、前記第２の端末を利用する前記対象グループのユーザからの投稿データと、の少なくとも一方を前記グループ投稿データから抽出する投稿データ抽出部と、前記投稿データ抽出部で抽出した投稿データを基に通知情報を生成する通知情報生成部と、前記通知情報を前記第１の端末に送信する通知情報送信部と、を備える。
【０００８】
また、本開示における健康管理システムは、対象グループでの情報交換サービスを提供するＳＮＳサーバと、第１および第２の端末と、健康管理サービスに加入する対象ユーザへ通知情報を提供する健康管理装置とを備えた健康管理システムであって、前記ＳＮＳサーバは、前記第１の端末を利用する前記対象ユーザ毎に設定されたグループ情報を記憶するグループ情報記憶部と、前記対象ユーザからの投稿データを受信する投稿データ受信部と、前記投稿データを記憶する投稿データ記憶部と、を備える。
【０００９】
前記第１の端末は、前記対象ユーザのバイタルデータを送信するバイタルデータ送信部を備える。前記健康管理装置は、前記対象ユーザが利用する前記第１の端末から前記バイタルデータを受信するバイタルデータ受信部と、前記バイタルデータを含むバイタル投稿データを生成し前記ＳＮＳサーバに送信するバイタル投稿データ送信部と、前記バイタルデータを含むバイタル投稿データと、前記ＳＮＳサーバにおいて前記対象ユーザと紐づけられている対象グループに属する前記第２の端末を利用する前記対象グループのユーザからの投稿データと、を含むグループ投稿データを前記ＳＮＳサーバから受信するグループ投稿データ受信部と、前記バイタルデータを含むバイタル投稿データと、第２の端末を利用する前記対象グループのユーザからの投稿データと、の少なくとも一方を前記グループ投稿データから抽出する投稿データ抽出部と、前記投稿データ抽出部で抽出した投稿データを基に通知情報を生成する通知情報生成部と、前記通知情報を前記第１の端末に送信する通知情報送信部と、を備える。
【００１０】
また、本開示における通知方法は、対象グループでの情報交換サービスを提供するＳＮＳサーバと第１および第２の端末とにされ、健康管理サービスに加入する対象ユーザへ通知情報を提供する健康管理装置における通知方法であって、前記対象ユーザが利用する前記第１の端末から所定のバイタルデータを受信するステップと、前記バイタルデータを含むバイタル投稿データを生成し前記ＳＮＳサーバに送信するステップと、前記バイタルデータを含むバイタル投稿データと、前記ＳＮＳサーバにおいて前記対象ユーザと紐づけられている対象グループに属する前記第２の端末を利用する前記対象グループのユーザからの投稿データと、を含むグループ投稿データを前記ＳＮＳサーバから受信するステップと、前記バイタルデータを含むバイタル投稿データと、前記第２の端末を利用する前記対象グループのユーザからの投稿データと、の少なくとも一方を前記グループ投稿データから抽出するステップと、投稿データ抽出部で抽出した投稿データを基に通知情報を生成するステップと、前記通知情報を前記第１の端末に送信するステップと、を備える。
【発明の効果】
【００１１】
これにより、対象ユーザの比較対象として対象ユーザにとって身近なＳＮＳサーバにおける対象ユーザと紐づけられている対象グループに属するユーザを簡単に設定し、対象ユーザの健康管理意欲を向上させることができる。
【図面の簡単な説明】
【００１２】
【図１】図１は、実施の形態１に係る健康管理システムのハード構成を示すシステム構成図である。
【図２】図２は、従来技術に係るグループの概念を示す模式図である。
【図３】図３は、実施の形態１に係るグループの概念を示す模式図である。
【図４】図４は、実施の形態１に係る健康管理システムの機能構成を示すブロック図である。
【図５】図５は、実施の形態１に係るバイタル投稿データ送信の動作を説明するための動作フロー図である。
【図６】図６は、実施の形態１に係る通知情報送信の動作を説明するための動作フロー図である。
【図７】図７は、実施の形態１に係る健康状態判定の動作を説明するための動作フロー図である。
【図８】図８は、実施の形態１に係る通知投稿データ送信の動作を説明するための動作フロー図である。
【図９】図９は、実施の形態１に係る統計情報と順位情報のイメージを説明するための模式図である。
【図１０】図１０は、実施の形態１に係る応援投稿データのイメージを説明するための模式図である。
【発明を実施するための形態】
【００１３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、添付図面および以下の説明は、当業者が本開示を十分に理解するために、提供されるのであって、これらにより請求の範囲に記載の主題を限定することは意図されていない。
【００１５】
（実施の形態１）
以下、図１〜１０を用いて、実施の形態１を説明する。
【００１６】
［１−１．構成］
［１−１−１．システム構成］
図１は、実施の形態１に係る健康管理システム１０のハード構成を示すシステム構成図である。健康管理システム１０は、健康管理装置と、ソーシャルネットワーキングサービス（以下、ＳＮＳとする）サーバと、複数の端末とを含む。
【００１７】
サーバ１００は健康管理装置の一例であり、健康管理サービスを提供する。ＳＮＳサーバ２００はＳＮＳサーバの一例であり、ＳＮＳを提供する。ユーザ端末３００（第１の端末）は、健康管理サービスを利用する端末の一例である。ＳＮＳユーザ端末４００（第２の端末）は、ＳＮＳを利用する端末の一例である。端末においては、第１の端末がＳＮＳユーザ端末４００、第２の端末がユーザ端末３００でもよく、第３の端末（例えば図３で示すユーザ端末３００ｂ）、第４の端末（例えば図３で示すＳＮＳユーザ端末４００ｆ）など端末の個数は限定しない。ユーザ端末３００は、インターネット回線網５００を介してサーバ１００に接続され、ＳＮＳユーザ端末４００は、インターネット回線網５００を介してＳＮＳサーバ２００に接続される。
【００１８】
ＳＮＳとは、社会的ネットワークをインターネット上で構築するサービスをいい、人と人との繋がりを促進及びサポートすることを目的とする。このＳＮＳには、グループを形成しグループ内のユーザが相互に情報を交換する機能を有する通信サービスや、対象ユーザに対するコメントや対象ユーザのコメントに対するコメントを対象ユーザに対して提示する機能を有する通信サービスが含まれる。なお、ＳＮＳの具体例として、例えば、ブログ、電子掲示板、Ｆａｃｅｂｏｏｋ（登録商標）、ＬＩＮＥ（登録商標）、Ｔｗｉｔｔｅｒ（登録商標）などが挙げられるがこれに限らない。
【００１９】
健康管理システム１０では、ユーザがグループを形成する機能を有するＳＮＳを例に説明する。
【００２０】
図１では、ユーザＡ、Ｅを例にあげて説明し、他のユーザは加入するサービスが同じであればユーザＡ、Ｅと同様のため図１では省略する。ユーザＡ、Ｂは、健康管理サービスとＳＮＳのそれぞれに加入しており、ユーザＡから見てユーザＢは関係者であるとする。ユーザＣ、Ｄは、健康管理サービスに加入しているが、ユーザＡから見ると関係するユーザではないとする（ユーザＡにとって身近ではない人、つまり他人）。ユーザＥ、Ｆ、Ｇは、ＳＮＳに加入しており、ユーザＡから見て関係者であるとする。
【００２１】
ユーザＡは、ユーザ端末３００に対して日々のバイタルデータを入力する。ユーザ端末３００に入力されたバイタルデータは、インターネット回線網５００を介してサーバ１００に送信される。
【００２２】
バイタルデータとは、健康状態の指標となる、例えば、血圧、体重、体脂肪率、体温、肌状態、歩数または血糖値などのバイタル項目の測定値（これらの増減値も含む）と、ユーザラベル、バイタル項目ラベル、測定日時などの情報から構成される。ユーザラベルとは、ユーザを特定するための識別情報であり、このラベルを基にサーバ１００は特定のユーザの検索を行う。バイタル項目ラベルとは、ユーザの健康状態の指標となるバイタルの項目名とその測定値とを含む情報である。具体的には、ユーザＡが、２０１５年０１月２７日１０時００分に測定した６０．０ｋｇという体重を入力した場合、「ユーザラベル：Ａ’、バイタル項目ラベル：体重、測定値：６０．０、測定日時：２０１５年０１月２７日１０時００分」というバイタルデータがサーバ１００に送信される。ユーザラベルＡ’は、健康管理サービスに登録されたユーザＡのユーザラベルである。
【００２３】
サーバ１００は、ユーザ端末３００から受信したバイタルデータを記憶するとともに、受信したバイタルデータから所定のバイタル投稿フォーマットに従ったバイタル投稿データを生成する。バイタル投稿フォーマットとは、バイタルデータに含まれるバイタル項目ラベル、測定値、測定日時を所定の文字列に変換し、投稿データ抽出部でグループ投稿データからバイタル投稿データを抽出するための識別子となる文字列を付与するためのフォーマットである。
【００２４】
具体的には、バイタル項目ラベルを「［バイタル項目ラベル］“は、”」に文字列変換し、測定値を体重の場合は「［測定値］“ｋｇです。”」に文字列変換し、測定日時を測定月、測定日、測定時、測定分に分解した上で「［測定月］“／”［測定日］“  ”［測定時］“：”［測定分］」に文字列変換し、抽出識別子の文字列「“＃健康管理サービス”」を付与する。このフォーマットに従って、「ユーザラベル：Ａ’、バイタル項目ラベル：体重、測定値：６０．０、測定日時：２０１５年０１月２７日１０時００分」というバイタルデータを変換すると、「“体重は、６０．０ｋｇです。  測定日時：０１／０７  １０：００  ＃健康管理サービス”」というバイタル投稿データが生成される。バイタル投稿フォーマットは、任意のバイタル項目に対してユーザＡが事前に設定した測定値の目標となる目標値と、測定値との差分を示す文字列が含まれてもよいし、ユーザＡのＳＮＳグループ内のメンバーにＳＮＳへの投稿を促すコメントの文字列が含まれてもよい。なお、バイタル投稿フォーマットはバイタル項目ごとに異なる。バイタル投稿データは、バイタルデータのユーザラベルＡ’に対応するＳＮＳアクセストークンＡとともに、サーバ１００からインターネット回線網５００を介してＳＮＳサーバ２００に送信される。
【００２５】
ＳＮＳアクセストークンとは、サーバ１００がＳＮＳ上のユーザの権限を得るためのアクセストークンである。サーバ１００は、ＳＮＳサーバ２００に対してユーザＡの投稿データを送信あるいはＳＮＳサーバ２００からユーザＡのグループの投稿データ受信するとき、サーバ１００内で、認可コードであるユーザラベルＡ’を、対応するＳＮＳアクセストークンＡに交換する。ＳＮＳアクセストークンＡは、ユーザラベルＡ’、ユーザラベルＡ”と１対１で対応する。ユーザラベルＡ”は、ＳＮＳに登録されたユーザＡのユーザラベルである。なお、ユーザがＢの場合は、ＳＮＳアクセストークンＢは、ユーザラベルＢ’、ユーザラベルＢ”と１対１で対応する。
【００２６】
サーバ１００は、交換したＳＮＳアクセストークンＡを、ユーザＡの投稿データの登録要求あるいはユーザＡのグループの投稿データの取得要求とともに、ＳＮＳサーバ２００に対して送信する。ＳＮＳサーバ２００では、受信したＳＮＳアクセストークンＡをユーザラベルＡ”に交換し、ユーザＡの投稿データの記憶あるいはユーザＡのグループの投稿データの検索を行う。ユーザＡの投稿データとは、ユーザＡのＳＮＳへの投稿データであり、ＳＮＳに登録されたユーザＡのユーザラベルＡ”に紐づいている。また、ユーザＡのグループの投稿データとは、ユーザＡのグループ内のメンバー（例えばＥなど）がＳＮＳに投稿したデータであり、ＳＮＳに登録されたユーザＥのユーザラベルＥ”に紐づいている。
【００２７】
ここで、ＳＮＳアクセストークンの発行手順を説明する。ＳＮＳアクセストークンは、ユーザ端末の許可をもとにサーバ１００とＳＮＳサーバ２００との間の事前の認証によって発行され、サーバ１００が記憶する。ＳＮＳアクセストークンの発行は、例えば、ＯＡｕｔｈ認証等の方法で行う。
【００２８】
具体的には、ユーザＡがユーザ端末３００の画面上でＳＮＳ認証を試みると、ユーザ端末３００は、ＳＮＳ認証の要求を、インターネット回線網５００を介してサーバ１００に送信する。サーバ１００は、ＳＮＳ認証の要求を受信すると、ＳＮＳリクエストトークン受信要求（ユーザ端末３００にＳＮＳ認証を行わせるためのＵＲＬの基になるトークンの受信要求）と、コールバックＵＲＬ（ユーザ端末３００がＳＮＳ認証を行った後に、ＳＮＳサーバ２００が転送する、サーバ１００のＵＲＬ）とを、インターネット回線網５００を介してＳＮＳサーバ２００に送信する。
【００２９】
ＳＮＳサーバ２００は、ＳＮＳリクエストトークン受信要求を受信すると、ＳＮＳリクエストトークンを、インターネット回線網５００を介してサーバ１００に送信する。
【００３０】
サーバ１００は、受信したＳＮＳリクエストトークンを基に、ＳＮＳ認証ページＵＲＬ（ＳＮＳサーバ２００が提供する、ＳＮＳ認証ページのＵＲＬ）を生成する。サーバ１００は、生成したＳＮＳ認証ページＵＲＬを、インターネット回線網５００を介してユーザ端末３００に送信する。
【００３１】
ユーザ端末３００は、受信したＳＮＳ認証ページＵＲＬをブラウザでひらき、画面上に表示する。ユーザＡは、ユーザ端末３００に表示されたＳＮＳ認証ページからＳＮＳ認証を行う。
【００３２】
ＳＮＳ認証が完了すると、ＳＮＳサーバ２００は、ユーザ端末３００のブラウザに対してサーバ１００から事前に受信していたコールバックＵＲＬを返す。
【００３３】
ユーザ端末３００のブラウザがコールバックＵＲＬをひらくと、サーバ１００は、ユーザＡのＳＮＳ認証完了通知を受信する。
【００３４】
サーバ１００は、ユーザＡのＳＮＳ認証完了通知を受信すると、ユーザラベルＡ’に対応するＳＮＳアクセストークンＡ受信要求を、インターネット回線網５００を介してＳＮＳサーバ２００に送信する。
【００３５】
ＳＮＳサーバ２００は、ＳＮＳアクセストークンＡ受信要求を受信すると、ユーザラベルＡ”に対応するＳＮＳアクセストークンＡを発行し、インターネット回線網５００を介してサーバ１００に送信する。
【００３６】
サーバ１００は、受信したＳＮＳアクセストークンＡを、ユーザラベルＡ’に紐づけて記憶する。
【００３７】
ＳＮＳサーバ２００は、ＳＮＳ上の投稿データとグループ情報を記憶している。
【００３８】
投稿データとは、ＳＮＳに投稿されるデータであり、ＳＮＳに登録されたユーザのユーザラベルに紐づいている。
【００３９】
グループ情報とは、ＳＮＳ上のグループ情報であり、ＳＮＳに登録されたユーザのユーザラベルと、そのユーザにＳＮＳ上で関連しているユーザのユーザラベルから構成される。
【００４０】
ＳＮＳサーバ２００は、受信したバイタル投稿データを受信したＳＮＳアクセストークンＡに基づきユーザラベルＡ”に紐づけ、投稿データとして記憶する。なお、ＳＮＳサーバ２００は、バイタル投稿データと通常の投稿データとを区別せずに記憶する。
【００４１】
ユーザＥは、ＳＮＳユーザ端末４００を使用してＳＮＳ上の投稿データを取得あるいは登録する。
【００４２】
ユーザＡがユーザ端末３００上で通知情報を表示するとき、ユーザ端末３００はユーザＡに対する通知情報の受信要求を、インターネット回線網５００を介してサーバ１００に送信する。
【００４３】
サーバ１００は、ユーザＡに対する通知情報の受信要求を受信すると、ユーザＡのグループ投稿データの受信要求を、ユーザラベルＡ’に対応するＳＮＳアクセストークンＡとともにインターネット回線網５００を介してＳＮＳサーバ２００に送信する。
【００４４】
ＳＮＳサーバ２００は、ユーザＡのグループ投稿データの受信要求を受信すると、受信したＳＮＳアクセストークンＡに基づき、ユーザＡが属するグループの投稿データを、インターネット回線網５００を介してサーバ１００に送信する。
【００４５】
サーバ１００は、ユーザＡのグループの投稿データを受信した後、ユーザＡに対する通知情報を生成し、インターネット回線網５００を介してユーザ端末３００に送信する。
【００４６】
通知情報とは、応援コメント、統計情報および順位情報の少なくとも一つで構成された情報である。
【００４７】
応援コメントとは、健康管理サービスに加入するユーザに対する健康管理を応援する内容のコメントである。応援コメントは、例えば、痩せた、ダイエット成功、軽い、負けた、いいね、いい値です、頑張れ、すごい、いい調子、幸運を祈る、気にするな、などの応援や励ましのコメントを含む。本実施の形態では、応援コメントは、例えば、文脈解析によって返信投稿データから抽出した応援投稿データとする。
【００４８】
返信投稿データとは、対象ユーザがＳＮＳに登録した投稿データに対してＳＮＳ上で同一のグループに属するユーザ（他の端末を利用するユーザ）から返信された投稿データである。
【００４９】
応援投稿データとは、返信投稿データから対象ユーザのバイタル投稿データに対する返信投稿データを抽出した、健康管理を応援する内容の投稿データである。
【００５０】
統計情報とは、健康管理サービスに加入するユーザが属するグループの、バイタルデータに基づく統計の情報である。本実施の形態では、統計情報は、ＳＮＳ上で同一のグループに属するユーザのバイタル投稿データから算出される、任意のバイタル項目、期間における最大値、最小値、平均値などのグループの統計情報とする。
【００５１】
順位情報とは、健康管理サービスに加入するユーザが属するグループの、バイタルデータに基づく各ユーザの順位の情報である。本実施の形態では、順位情報は、ＳＮＳ上で同一のグループに属するユーザのバイタル投稿データから算出される、任意のバイタル項目、期間におけるグループ内の各ユーザの順位情報とする。
【００５２】
なお、サーバ１００が通知情報の生成に使用するバイタル投稿データは、所定のバイタル投稿フォーマットに従っていれば、サーバ１００が送信したバイタル投稿データに限定されない。バイタル投稿データは、例えば、ＳＮＳサーバ２００に接続されたサーバ１００以外の他のサーバや、ＳＮＳユーザ端末４００から送信されたデータであってもよい。
【００５３】
本実施の形態における、通知情報の生成に使用するデータの取得範囲となるグループの概念を説明する。図２は、従来技術におけるグループの概念を示す模式図であり、図３は、本実施の形態におけるグループの概念を示す模式図である。
【００５４】
図２において、ユーザＡ、Ｂ、Ｃ、Ｄは、健康管理サービスに加入するユーザである。健康管理サービス上でユーザＡ、Ｂ、Ｃ、Ｄによって構成されるグループを作成すると、その範囲は健康管理サービスグループ６１０（図２の破線括弧参照）のようになる。
【００５５】
ユーザＢはユーザＡと関係するユーザであり、ユーザＣ、Ｄは、ユーザＡと関係するユーザではない。例えば、統計情報をとる場合、サーバ１００が、健康管理サービスグループ６１０からユーザＡに対する通知情報を提供しても、関係しないユーザも含めた統計情報となる。このため、ユーザＡが通知情報（統計情報）を見ても実感がわかず、ユーザＡにとって健康管理における意欲向上の効果が薄い。
【００５６】
しかしながら、ユーザＡがユーザＡ、Ｂによって構成されるグループを作成するのは、手間がかかる。また、健康管理サービスに加入しなければ、ユーザＡと関係するユーザであるユーザＥ、Ｆ、Ｇをグループに含めることができない。
【００５７】
これに対して、本実施の形態では、図３に示すようにＳＮＳ上のグループを利用する。図３において、ユーザＡ、Ｂは健康管理サービスとＳＮＳに加入するユーザである。ユーザＣ、Ｄは、健康管理サービスのみに加入するユーザである。ユーザＥ、Ｆ、Ｇは、ＳＮＳのみに加入するユーザである。ＳＮＳ上でユーザＡ、Ｂ、Ｅ、Ｆ、Ｇによって構成されるグループを作成すると、その範囲はＳＮＳグループ６２０（図３の破線括弧参照）のようになる。ＳＮＳグループ６２０を構成するユーザは、ユーザＡに関係するユーザである。ＳＮＳグループ６２０を利用することで、手間をかけずに、ユーザＡに関係しないユーザＣ、Ｄをグループから除くことできる。
【００５８】
さらに、ＳＮＳグループ６２０を利用することで、健康管理サービスに加入していないユーザＥ、Ｆ、Ｇもグループに取り込むことができる。ユーザＡに関係するユーザで構成されるＳＮＳグループ６２０の応援コメント、統計情報、順位情報を提供することで、ユーザＡの健康管理の意欲を向上させる効果を高めることができる。
【００５９】
サーバ１００は、任意のタイミングで、ユーザＡに対して生成した通知情報から通知投稿データを生成する。通知投稿データは、ユーザＡに対応するＳＮＳアクセストークンＡとともに、サーバ１００からインターネット回線網５００を介してＳＮＳサーバ２００に送信される。
【００６０】
［１−１−２．機能ブロック］
図４は、実施の形態１に係る健康管理システム１０の機能構成を示すブロック図である。
【００６１】
サーバ１００は、サーバ通信部１１０と、バイタル投稿データ送信部１１１と、通知投稿データ送信部１１２と、グループ投稿データ受信部１１３と、ユーザ端末通信部１２０と、バイタルデータ受信部１２１と、ユーザ端末通知情報送信部１２２と、バイタルデータ記憶部１３１と、トークン記憶部１３２と、判定部１４０と、投稿データ抽出部１５０と、通知情報生成部１６０とを有する。
【００６２】
サーバ通信部１１０は、ＳＮＳサーバ２００と通信する。バイタル投稿データ送信部１１１は、ＳＮＳサーバ２００に対してサーバ通信部１１０を介してバイタル投稿データを送信する。通知投稿データ送信部１１２は、ＳＮＳサーバ２００に対してサーバ通信部１１０を介して通知投稿データを送信する。グループ投稿データ受信部１１３は、ＳＮＳサーバ２００からサーバ通信部１１０を介してＳＮＳ上のグループの投稿データを受信する。ユーザ端末通信部１２０は、ユーザ端末３００と通信する。バイタルデータ受信部１２１は、ユーザ端末３００からユーザ端末通信部１２０を介してバイタルデータを受信する。通知情報送信部１２２は、ユーザ端末３００に対してユーザ端末通信部１２０を介して通知情報を送信する。バイタルデータ記憶部１３１は、バイタルデータ受信部１２１から受信したバイタルデータを記憶する。トークン記憶部１３２は、ＳＮＳアクセストークンを記憶する。判定部１４０は、バイタルデータ記憶部１３１から受信したバイタルデータを基にユーザの健康状態を判定する。投稿データ抽出部１５０は、グループ投稿データ受信部１１３から受信したグループ投稿データから所定の特徴をもつ投稿データを抽出する。通知情報生成部１６０は、判定部１４０から受信した健康状態判定結果と投稿データ抽出部１５０から受信した投稿データを基に通知情報を生成する。
【００６３】
通知情報生成部１６０は、応援投稿データを抽出する応援投稿データ抽出部１６１と、統計情報を算出する統計算出部１６２と、順位情報を算出する順位算出部１６３とを有する。
【００６４】
バイタル投稿データ送信部１１１は、バイタルデータ受信部１２１から受信したバイタルデータから所定のバイタル投稿フォーマットに従ったバイタル投稿データを生成する。バイタル投稿データ送信部１１１は、トークン記憶部１３２からバイタル投稿データを送信するユーザに対応するＳＮＳアクセストークンを受信し、生成したバイタル投稿データをＳＮＳアクセストークンとともにＳＮＳサーバ２００に対して送信する。
【００６５】
通知投稿データ送信部１１２は、通知情報生成部１６０から受信した通知情報から通知投稿データを生成する。通知投稿データ送信部１１２は、トークン記憶部１３２から通知投稿データを送信するユーザに対応するＳＮＳアクセストークンを受信し、生成した通知投稿データをＳＮＳアクセストークンとともにＳＮＳサーバ２００に対して送信する。
【００６６】
グループ投稿データ受信部１１３は、トークン記憶部１３２からグループ投稿データを受信するユーザに対応するＳＮＳアクセストークンを受信する。グループ投稿データ受信部１１３は、受信したＳＮＳアクセストークンに対応するＳＮＳに登録されたユーザのグループ投稿データの受信要求をＳＮＳサーバ２００に対して送信し、グループ投稿データをＳＮＳサーバ２００から受信する。
【００６７】
判定部１４０は、バイタルデータ記憶部１３１から任意のユーザ、バイタル項目、期間におけるバイタルデータを受信し、ユーザの健康状態を判定し、その結果を判定結果として通知情報生成部１６０に送信する。本実施の形態では、判定結果は、良化、安定、悪化のいずれかとする。
【００６８】
投稿データ抽出部１５０は、グループ投稿データ受信部１１３からグループ投稿データを受信し、受信したグループ投稿データから所定の特徴をもつ投稿データを抽出する。抽出した投稿データは、通知情報生成部１６０に送信する。具体的には、通知情報生成部１６０で応援投稿データの抽出を行う場合、投稿データ抽出部１５０は、グループ投稿データから任意のバイタル項目、期間における対象ユーザのバイタル投稿データと、任意の期間における対象ユーザに対する返信投稿データを抽出する。通知情報生成部１６０で統計情報の算出または順位情報の算出を行う場合、投稿データ抽出部１５０は、グループ投稿データから任意のバイタル項目、期間におけるバイタル投稿データを抽出する。
【００６９】
応援投稿データ抽出部１６１は、投稿データ抽出部１５０から受信した投稿データを基に、対象ユーザに対する応援投稿データを抽出する。具体的には、応援投稿データ抽出部１６１は、投稿データ抽出部１５０から任意のバイタル項目、期間における対象ユーザのバイタル投稿データと、任意の期間における対象ユーザに対する返信投稿データを受信する。応援投稿データ抽出部１６１は、受信した返信投稿データから任意のバイタル項目、期間における対象ユーザのバイタル投稿データに対する投稿データを応援投稿データとして抽出する。応援投稿データ抽出部１６１は、判定部１４０から受信した対象ユーザの健康状態に関する判定結果に基づき、対象ユーザの健康状態に応じた応援投稿データを抽出してもよい。具体的には、対象ユーザの判定結果が良化の場合は、対象ユーザを褒める内容の応援投稿データを抽出し、判定結果が悪化の場合は、対象ユーザを叱る内容の応援投稿データを抽出してもよい。
【００７０】
統計算出部１６２は、投稿データ抽出部１５０から受信した任意のバイタル項目、期間におけるバイタル投稿データを基に、対象グループの任意のバイタル項目、期間におけるバイタルデータの最大値、最小値、平均値などの統計情報を算出する。統計算出部１６２は、算出した統計情報に対して、判定部１４０から受信した対象ユーザの健康状態に関する判定結果に基づく情報を付与してもよい。具体的には、対象グループの統計情報と対象ユーザの健康状態に関する判定結果を比較したコメントを付与してもよい。
【００７１】
順位算出部１６３は、投稿データ抽出部１５０から受信した任意のバイタル項目、期間におけるバイタル投稿データを基に、対象ユーザの任意のバイタル項目、期間におけるバイタルデータの対象グループ内での順位情報を算出する。順位算出部１６３は、算出した順位情報に対して、判定部１４０から受信した対象ユーザの健康状態に関する判定結果に基づく情報を付与してもよい。具体的には、順位が中央より上で判定結果が良化である場合は、対象ユーザを褒めるコメントを付与してもよい。順位が中央より下で判定結果が悪化である場合は、対象ユーザを叱るコメントを付与してもよい。順位が中央より上で判定結果が悪化である場合は、対象ユーザを褒めつつグループの健康状態の悪さを指摘するコメントを付与してもよい。順位が中央より下で判定結果が良化である場合は、対象ユーザを叱りつつグループの健康状態の良さを指摘するコメントを付与してもよい。
【００７２】
ＳＮＳサーバ２００は、サーバ通信部２１０と、投稿データ受信部２１１と、サーバ投稿データ送信部２１２と、ユーザ端末通信部２２０と、投稿データ記憶部２３１と、グループ情報記憶部２３２とを有する。
【００７３】
サーバ通信部２１０は、サーバ１００と通信する。投稿データ受信部２１１は、サーバ１００からサーバ通信部２１０を介して、またはＳＮＳユーザ端末４００からＳＮＳユーザ端末通信部２２０を介して投稿データを受信する。投稿データ送信部２１２は、サーバ１００に対してサーバ通信部２１０を介して、またはＳＮＳユーザ端末４００に対してＳＮＳユーザ端末通信部２２０を介して投稿データを送信する。ユーザ端末通信部２２０は、ＳＮＳユーザ端末４００と通信する。投稿データ記憶部２３１は、ＳＮＳ上の投稿データを記憶する。グループ情報記憶部２３２は、ＳＮＳ上のグループ情報を記憶する。
【００７４】
投稿データ送信部２１２は、投稿データをサーバ１００またはＳＮＳユーザ端末４００に対して送信する。投稿データ送信部２１２は、サーバ１００からグループ投稿データに関する受信要求を受信すると、ＳＮＳグループ情報記憶部２３２から対象ユーザのＳＮＳグループ情報を受信する。投稿データ送信部２１２は、受信したＳＮＳグループ情報に含まれるユーザの投稿データを投稿データ記憶部２３１から受信し、グループ投稿データとしてサーバ通信部２１０を介してサーバ１００に対して送信する。
【００７５】
ユーザ端末３００は、通信部３１０と、バイタルデータ送信部３１１と、サーバ通知情報受信部３１２と、入出力部３２０とを有する。
【００７６】
通信部３１０は、サーバ１００と通信する。バイタルデータ送信部３１１は、サーバ１００に対して通信部３１０を介してユーザが入力したバイタルデータを送信する。通知情報受信部３１２は、サーバ１００から通信部３１０を介して通知情報を受信する。入出力部３２０は、ユーザのバイタルデータの入力を受け付けたり、ユーザに対して通知情報を表示する。
【００７７】
［１−２．動作］
以上のように構成された健康管理システム１０について、その動作を以下説明する。
【００７８】
図５は、実施の形態１にかかる健康管理システム１０におけるサーバ１００でのバイタル投稿データ送信の動作を説明するためのフローチャートである。
【００７９】
ユーザ端末３００からのバイタルデータの送信要求によりサーバ１００から開始の指令を受けると、バイタルデータ受信部１２１は、ユーザ端末通信部１２０を介して、ユーザ端末３００から対象ユーザのバイタルデータを受信する（Ｓ０１０）。バイタル投稿データ送信部１１１は、バイタルデータ受信部１２１からバイタルデータを受信し、バイタル投稿データを生成する（Ｓ０２０）。バイタル投稿データ送信部１１１は、トークン記憶部１３２から対象ユーザのＳＮＳアクセストークンを取得する（Ｓ０３０）。バイタル投稿データ送信部１１１は、サーバ通信部１１０を介して、生成したバイタル投稿データをＳＮＳアクセストークンとともにＳＮＳサーバに送信する（Ｓ０４０）。これにより、サーバ１００でのバイタル投稿データ送信の動作が終了する。
【００８０】
図６、図７は、実施の形態１にかかる健康管理システム１０におけるサーバ１００での通知情報送信の動作を説明するためのフローチャートである。
【００８１】
ユーザ端末３００からの通知情報の受信要求によりサーバ１００から開始の指令を受けると、グループ投稿データ受信部１１３は、トークン記憶部１３２から対象ユーザのＳＮＳアクセストークンを受信する（Ｓ１１０）。グループ投稿データ受信部１１３は、サーバ通信部１１０を介して、ＳＮＳサーバ２００から対象ユーザのグループ投稿データを受信する（Ｓ１２０）。投稿データ抽出部１５０は、グループ投稿データ受信部１１３からグループ投稿データを受信し、所定の特徴をもつ投稿データを抽出する（Ｓ１３０）。判定部１４０は、対象ユーザの健康状態を判定する（Ｓ１４０）。詳細には、図７に示すように、健康状態に関する判定が開始されると、判定部１４０は、バイタルデータ記憶部１３１からバイタルデータを受信する（Ｓ１３１）。判定部１４０は、受信したバイタルデータを基に、対象ユーザの健康状態を判定する（Ｓ１３２）。
【００８２】
図６に戻り、通知情報生成部１６０は、投稿データ抽出部１５０から投稿データを、判定部１４０から対象ユーザの判定結果を受信し、ユーザ端末３００からの通知情報の受信要求が応援投稿であるか判断する（Ｓ１５０）。受信要求が応援投稿である場合（Ｓ１５０のＹＥＳ）、通知情報生成部１６０は、対象ユーザの判定結果に基づき対象ユーザの応援投稿データを抽出し、通知情報送信部１２２に通知情報として送信する（Ｓ１５１）。受信要求が応援投稿でない場合（Ｓ１５０のＮＯ）、通知情報生成部１６０は、受信要求が統計情報であるか判断する（Ｓ１６０）。受信要求が統計情報である場合（Ｓ１６０のＹＥＳ）、通知情報生成部１６０は、対象ユーザの判定結果に基づき対象グループの統計情報を算出し、通知情報送信部１２２に通知情報として送信する（Ｓ１６１）。受信要求が統計情報でない場合（Ｓ１６０のＮＯ）、通知情報生成部１６０は、受信要求が順位情報であるか判断する（Ｓ１７０）。受信要求が順位情報である場合（Ｓ１７０のＹＥＳ）、通知情報生成部１６０は、対象ユーザの判定結果に基づき対象ユーザの対象グループ内の順位情報を算出し、通知情報送信部１２２に通知情報として送信する（Ｓ１７１）。受信要求が順位情報でない場合（Ｓ１７０のＮＯ）、通知情報生成部１６０は、処理を終了する。通知情報送信部１２２は、通知情報生成部１６０から通知情報を受信し、ユーザ端末通信部１２０を介して、通知情報をユーザ端末３００に送信する（Ｓ１８０）。これにより、サーバ１００での通知情報送信の動作が終了する。
【００８３】
図９、図１０は、ユーザ端末３００にて、入出力部３２０に表示される通知情報の一例である。
【００８４】
通知情報表示画面７００は、対象ユーザが、表示する通知情報のバイタル項目をタップ動作で選択することができる選択タブ７１０と、統計情報を表示する統計表示エリア７２０と、順位情報を表示する順位表示エリア７３０と、応援投稿データを表示する応援投稿データ表示エリア７４０とで構成される。統計表示エリア７２０は、対象グループのバイタルデータの最大値を示す最大値表示部７２１と、対象グループのバイタルデータの最小値を示す最小値表示部７２２と、対象グループのバイタルデータの平均値を示す平均値表示部７２３とで構成される。順位表示エリア７３０は、対象ユーザの対象グループ内の順位を示す順位表示部７３１で構成される。応援投稿データ表示エリア７４０は、対象ユーザに対する応援投稿データを表示する応援投稿データ表示部７４１（図１０参照）で構成される。通知情報表示画面７００は、対象ユーザのスワイプ動作で画面縦方向にスクロールし、図９の統計表示エリア７２０と順位表示エリア７３０から、図１０の応援投稿データ表示エリア７４０までを表示する。図１０に示すように、応援投稿データはＳＮＳ上で上げられたコメントであって、例えば、最近やせたね、ダイエット成功祝いで今度飲みに行こう、俺よりも軽い、今週は負けた、などである。しかし、応援投稿データは対象ユーザに対する健康管理を応援する内容のコメントであれば特に限定しない。
【００８５】
図７、図８は、実施の形態１にかかる健康管理システム１０におけるサーバ１００での通知投稿データ送信の動作を説明するためのフローチャートである。
【００８６】
任意のタイミングでサーバ１００から開始の指令を受けると、グループ投稿データ受信部１１３は、トークン記憶部１３２から対象ユーザのＳＮＳアクセストークンを受信する（Ｓ２１０）。グループ投稿データ受信部１１３は、サーバ通信部１１０を介して、ＳＮＳサーバ２００から対象ユーザのグループ投稿データを受信する（Ｓ２２０）。投稿データ抽出部１５０は、グループ投稿データ受信部１１３からグループ投稿データを受信し、所定の特徴をもつ投稿データを抽出する（Ｓ２３０）。判定部１４０は、対象ユーザの健康状態を判定する（Ｓ２４０）。詳細には、図７に示すように、健康状態に関する判定が開始されると、判定部１４０は、バイタルデータ記憶部１３１からバイタルデータを受信する（Ｓ１３１）。判定部１４０は、受信したバイタルデータを基に、対象ユーザの健康状態を判定する（Ｓ１３２）。
【００８７】
図８に戻り、通知情報生成部１６０は、投稿データ抽出部１５０から投稿データを、判定部１４０から対象ユーザの判定結果を受信する。通知情報生成部１６０は、対象ユーザの判定結果に基づき対象グループの統計情報を算出し、通知投稿データ送信部１１２に通知情報として送信する（Ｓ２５０）。通知情報生成部１６０は、対象ユーザの判定結果に基づき対象ユーザの対象グループ内の順位情報を算出し、通知投稿データ送信部１１２に通知情報として送信する（Ｓ２６０）。通知投稿データ送信部１１２は、通知情報生成部１６０から通知情報を受信し、通知投稿データを生成する（Ｓ２７０）。通知投稿データ送信部１１２は、トークン記憶部１３２から対象ユーザのＳＮＳアクセストークンを受信する（Ｓ２８０）。通知投稿データ送信部１１２は、サーバ通信部１１０を介して、生成した通知投稿データをＳＮＳアクセストークンとともにＳＮＳサーバに送信する（Ｓ２９０）。これにより、サーバ１００での通知投稿データ送信の動作が終了する。
【００８８】
［１−３．効果等］
以上のように、本実施の形態において、健康管理システム１０は、サーバ１００と、ＳＮＳサーバ２００と、サーバユーザ端末３００と、ＳＮＳユーザ端末４００とを有する。
【００８９】
サーバ１００は、ユーザＡのバイタルデータをＳＮＳサーバ２００に送信し、ＳＮＳサーバ２００から受信したグループ投稿データから通知情報を生成する。ＳＮＳサーバ２００は、投稿データを記憶する。ユーザ端末３００は、サーバ１００から受信した通知情報をユーザＡに提示する。ＳＮＳユーザ端末４００は、ＳＮＳサーバ２００から投稿データを受信し、ＳＮＳサーバ２００に投稿データを送信する。
【００９０】
サーバ１００は、トークン記憶部１３２と、グループ投稿データ受信部１１３と、投稿データ抽出部１５０と、通知情報生成部１６０と、ユーザ端末通知情報送信部１２２とを有する。
【００９１】
トークン記憶部１３２は、サーバ１００がＳＮＳ上のユーザの権限を得るためＳＮＳアクセストークンを記憶する。グループ投稿データ受信部１１３は、ＳＮＳサーバ２００からＳＮＳ上のグループの投稿データを受信する。投稿データ抽出部１５０は、グループ投稿データ受信部１１３から受信したグループ投稿データから所定の特徴をもつ投稿データを抽出する。通知情報生成部１６０は、投稿データ抽出部１５０から受信した投稿データを基に通知情報を生成する。通知情報送信部１２２は、ユーザ端末３００に対して通知情報を送信する。
【００９２】
ユーザ端末３００は、サーバ１００から通知情報を受信する通知情報受信部３１２と、ユーザＡに対して通知情報を表示する入出力部３２０とを有する。
【００９３】
これにより、ユーザＡに対してＳＮＳ上でつながりのある、ユーザＡにとって身近なユーザで構成されるグループの応援コメント、統計情報、順位情報を提示し、ユーザＡの健康管理意欲を向上させることができる。具体的には、健康管理サービス上でＳＮＳ上のつながりのあるユーザグループを簡単に作成できるほか、健康管理サービスに加入しないＳＮＳユーザをグループに含めることができる。
【００９４】
（他の実施の形態）
以上のように、本出願において開示する技術の例示として、実施の形態１を説明した。しかしながら、本開示における技術は、これに限定されず、変更、置き換え、付加、省略などを行った実施の形態にも適用できる。また、上記実施の形態１で説明した各構成要素を組み合わせて、新たな実施の形態とすることも可能である。
【００９５】
そこで、以下、他の実施の形態を例示する。
【００９６】
（Ａ）実施の形態１では、バイタルデータを入力する手段の一例として、ユーザ端末３００に対してユーザＡが手入力することを前提に説明した。日々のバイタルデータをサーバ１００に対して送信する手段は、ユーザ端末３００の通信部３１０などを経由して行われればよく、手入力に限定されるものではない。例えば、ユーザ端末３００と通信可能な測定機器（血圧計、体重計（体脂肪計を含む）、体温計、歩数計、睡眠計、血糖値センサ、スキンスコープ、血管年齢測定器、脳年齢測定器）やユーザ端末３００に内蔵された測定機器、あるいは、通信部を有する測定機器によって、サーバ１００に送信されてもよい。
【００９７】
（Ｂ）実施の形態１では、統計情報として、ＳＮＳ上で同一のグループに属するユーザのバイタル投稿データから算出される、任意のバイタル項目、期間における最大値、最小値、平均値などのグループの統計情報を想定した。しかしながら、統計情報は最大値、最小値、平均値に限定されるものではない。例えば、中央値、分散、標準偏差、バイタル投稿データ数、上昇や下降、といった傾向であってもよい。
【００９８】
（Ｃ）実施の形態１では、判定部１４０がユーザの健康状態を判定した結果である健康状態に関する判定結果として、良化、安定、悪化を想定した。しかしながら、判定結果は良化、安定、悪化に限定されるものではない。例えば、良化、やや良化、安定、やや悪化、悪化の５段階で評価してもよい。また、前回の判定結果を考慮し、良化→良化、良化→安定、良化→悪化、安定→良化、安定→安定、安定→悪化、悪化→良化、悪化→安定、悪化→悪化の９段階で評価してもよい。
【００９９】
（Ｄ）実施の形態１では、投稿データ送信部２１２は、サーバ１００からグループ投稿データに関する受信要求を受信すると、ＳＮＳグループ情報記憶部２３２から対象ユーザのＳＮＳグループ情報を受信する。投稿データ送信部２１２は、受信したＳＮＳグループ情報に含まれるユーザの投稿データを投稿データ記憶部２３１から受信し、グループ投稿データとしてサーバ１００に対して送信する例で説明した。このとき、グループ投稿データは、ＳＮＳ上で対象ユーザに関連する投稿データであればよい。例えば、グループ情報のように予め定義されたグループ情報に基づくデータでなく、ＳＮＳ上で対象ユーザに対して投稿された投稿データをグループ投稿データとしてもよい。
【０１００】
なお、上記の各実施の形態において、各構成要素は、専用のハードウェアで構成されてもよく、あるいは、各構成要素に適したソフトウェアプログラムを実行することによって実現されてもよい。各構成要素は、ＣＰＵまたはプロセッサなどのプログラム実行部が、ハードディスクまたはメモリなどの記録媒体に記録されたソフトウェアプログラムを読み出して実行することによって実現されてもよい。また、上記の各実施の形態に係る各テーブルは、分析装置が備えるメモリなどの記憶装置に備えられる。
【０１０１】
上記実施の形態で説明した健康管理システム１０において、サーバ通信部１１０、バイタル投稿データ送信部１１１、通知投稿データ送信部１１２、グループ投稿データ受信部１１３、ユーザ端末通信部１２０、バイタルデータ受信部１２１、通知情報送信部１２２、バイタルデータ記憶部１３１、トークン記憶部１３２、判定部１４０、投稿データ抽出部１５０、通知情報生成部１６０等の各機能ブロックは、ＬＳＩなどの半導体装置により個別に１チップ化されても良いし、一部又は全部を含むように１チップ化されても良い。
【０１０２】
上記各実施の形態の各機能ブロックの処理の一部又は全部は、コンピュータプログラムにより実現されるものであってもよい。また、上記実施の形態の各処理をハードウエアにより実現してもよいし、ソフトウエア（ＯＳ（オペレーティングシステム）、ミドルウェア、あるいは、所定のライブラリとともに実現される場合を含む。）により実現してもよい。更に、ソフトウエア及びハードウエアの混在処理により実現しても良い。
【０１０３】
また、上記実施の形態における処理方法の実行順序は、必ずしも、上記実施の形態の記載に制限されるものではなく、本開示の要旨を逸脱しない範囲で、実行順序を入れ替えることができる。
【０１０４】
上記健康管理システム１０で実行される処理方法と、同処理方法をコンピュータに実行させるコンピュータプログラム及びそのプログラムを記録したコンピュータ読み取り可能な記録媒体は、本開示の範囲に含まれる。ここで、コンピュータ読み取り可能な記録媒体としては、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリを挙げることができる。コンピュータプログラムは、上記記録媒体に記録されたものに限られず、電気通信回線、無線又は有線通信回線、インターネットを代表とするネットワーク等を経由して伝送されてもよい。
【産業上の利用可能性】
【０１０５】
本開示は、対象ユーザに対してＳＮＳ上の対象ユーザに関連するユーザの健康に関する情報を提示し、対象ユーザの健康管理意欲を向上させることをねらいとする健康管理システムに適用可能である。
【符号の説明】
【０１０６】
１０    健康管理システム
１００    サーバ
１１０    サーバ通信部
１１１    バイタル投稿データ送信部
１１２    通知投稿データ送信部
１１３    グループ投稿データ受信部
１２０    ユーザ端末通信部
１２１    バイタルデータ受信部
１２２    通知情報送信部
１３１    バイタルデータ記憶部
１３２    トークン記憶部
１４０    判定部
１５０    投稿データ抽出部
１６０    通知情報生成部
１６１    応援投稿データ抽出部
１６２    統計算出部
１６３    順位算出部
２００    ＳＮＳサーバ
２１０    サーバ通信部
２１１    投稿データ受信部
２１２    投稿データ送信部
２２０    ユーザ端末通信部
２３１    投稿データ記憶部
２３２    グループ情報記憶部
３００    ユーザ端末
３１０    通信部
３１１    バイタルデータ送信部
３１２    通知情報受信部
３２０    入出力部
４００    ＳＮＳユーザ端末
５００    インターネット回線網
６１０    健康管理サービスグループ
６２０    ＳＮＳグループ
７００    通知情報表示画面
７１０    選択タブ
７２０    統計表示エリア
７２１    最大値表示部
７２２    最小値表示部
７２３    平均値表示部
７３０    順位表示エリア
７３１    順位表示部
７４０    応援投稿データ表示エリア
７４１    応援投稿データ表示部
【図１】
0006754937.tif 000002
【図２】
0006754937.tif 000003
【図３】
0006754937.tif 000004
【図４】
0006754937.tif 000005
【図５】
0006754937.tif 000006
【図６】
0006754937.tif 000007
【図７】
0006754937.tif 000008
【図８】
0006754937.tif 000009
【図９】
0006754937.tif 000010
【図１０】
0006754937.tif 000011